(57)【要約】【課題】  本発明は、照明装置の新たな有効利用を図ることを目的とする。【解決手段】  本発明の照明装置は、照明部と、電源ユニットと、外部機器に対する接続部とを有し、前記接続部は、前記外部機器と、無線により接続可能であり、前記接続により、前記外部機器への電力供給、および、前記外部機器との間における照明用の制御信号の入出力を行うことを特徴とする。【選択図】図１
2018147881.tif 000002
【特許請求の範囲】
【請求項１】
照明部と、電源ユニットと、外部機器に対する接続部とを有し、
前記接続部は、
前記外部機器と、有線により接続可能であり、
前記接続により、前記外部機器への電力供給、および、前記外部機器との間における照明用の制御信号の入出力を行うことを特徴とする照明装置。
【請求項２】
前記照明部が、ＬＥＤ照明部または有機ＥＬ照明部である、請求項１記載の照明装置。
【請求項３】
前記接続部は、前記外部機器と、有線で接続可能なポートである、
請求項１または２記載の照明装置。
【請求項４】
前記接続部は、前記外部機器の電源プラグを差し込み可能な電源コンセント、および、前記外部機器に接続されたＵＳＢケーブルを介して電力供給が可能なＵＳＢポート、の少なくとも一方を有する、請求項１から３のいずれか一項に記載の照明装置。
【請求項５】
さらに、ＬＡＮ、インターネットおよび電話回線からなる群から選択された少なくとも一つに接続可能な通信モジュールを有し、前記接続部との接続により、前記通信モジュールを介して、前記外部機器は、ＬＡＮ、インターネットおよび電話回線からなる群から選択された少なくとも一つを経由したデータ通信が可能である、請求項１から４のいずれか一項に記載の照明装置。
【請求項６】
前記接続部は、Ｉ／Ｏポート、ＬＡＮポートおよびＵＳＢポートからなる群から選択された少なくとも一つを含む、請求項５記載のＬＥＤ照明装置。
【請求項７】
前記接続部は、さらに、ＬＡＮ、インターネットおよび電話回線からなる群から選択された少なくとも一つに接続可能な通信モジュールと、無線により接続可能であり、
前記接続部と前記通信モジュールとの無線での接続により、前記外部機器は、ＬＡＮ、インターネットおよび電話回線からなる群から選択された少なくとも一つを経由したデータ通信が可能である、請求項１から６のいずれか一項に記載の照明装置。
【請求項８】
天井設置用または壁設置用である、請求項１から７のいずれか一項に記載の照明装置。
【発明の詳細な説明】
【技術分野】
【０００１】
本発明は、外部機器に接続可能な照明装置に関する。
【背景技術】
【０００２】
家庭、公共施設、工場等の様々な場において、ＬＥＤや有機ＥＬ等の照明装置が使用されている。通常、照明装置は、電力会社から供給される交流電流（ＡＣ）を受け取り、変換器を介して直流電流（ＤＣ）に変換し、作動する。
【発明の概要】
【発明が解決しようとする課題】
【０００３】
様々な場において、照明装置は、必ず設置されている必須の機器である。そこで、本発明者らは、照明装置について、照明としての機能に限らず、さらなる有効利用を図ることが、産業において非常に重要になるとの知見を得た。
【０００４】
そこで、本発明は、照明装置の新たな有効利用を図ることを目的とする。
【課題を解決するための手段】
【０００５】
前記目的を達成するために、本発明の照明装置は、照明部と、電源ユニットと、外部機器に対する接続部とを有し、
前記接続部は、
前記外部機器と、有線により接続可能であり、
前記接続により、前記外部機器への電力供給、および、前記外部機器との間における照明用の制御信号の入出力を行うことを特徴とする。
【発明の効果】
【０００６】
本発明によれば、照明装置を、明るさを提供する機器としてだけではなく、全く異なる機能の機器としても使用できる。具体的には、例えば、照明装置に供給された電力を、外部機器に出力することで、前記照明装置を他の外部機器に対する電流供給装置としても使用できる。また、外部機器との接続により、照明用の制御信号を前記外部機器に入出力することで、照明装置の制御と外部機器の制御とを連動させることもできる。前述のように、照明装置は、どのような場所にでも設置される必須の機器であることから、このように外部機器との接続を可能とすることによって、外部機器をより簡便に使用することが可能となる。
【図面の簡単な説明】
【０００７】
【図１】図１は、実施形態１における照明装置の概略を示すブロック図である。
【発明を実施するための形態】
【０００８】
本発明の照明装置は、例えば、前記照明部が、ＬＥＤ照明部または有機ＥＬ照明部であり、この場合、前記照明装置は、例えば、ＬＥＤ照明装置または有機ＥＬ照明装置ともいう。
【０００９】
本発明の照明装置は、例えば、前記接続部が、前記外部機器と、有線で接続可能なポートである。
【００１０】
本発明の照明装置は、例えば、前記接続部が、コンセントまたはＵＳＢポートである。前記コンセントは、例えば、前記外部機器の電源プラグを差し込み可能な電源コンセントであり、前記ＵＳＢポートは、例えば、前記外部機器に接続されたＵＳＢケーブルを介して電力供給が可能なＵＳＢポートである。
【００１１】
本発明の照明装置は、例えば、さらに、ＬＡＮ、インターネットおよび電話回線からなる群から選択された少なくとも一つに接続可能な通信モジュールを有し、前記接続部との接続により、前記通信モジュールを介して、前記外部機器は、ＬＡＮ、インターネットおよび電話回線からなる群から選択された少なくとも一つを経由したデータ通信が可能である。
【００１２】
本発明の照明装置は、例えば、前記接続部が、Ｉ／Ｏポート、ＬＡＮポートおよびＵＳＢポートからなる群から選択された少なくとも一つを含む。
【００１３】
本発明の照明装置は、例えば、前記接続部が、さらに、ＬＡＮ、インターネットおよび電話回線からなる群から選択された少なくとも一つに接続可能な通信モジュールと、無線により接続可能であり、前記接続部と前記通信モジュールとの無線での接続により、前記外部機器は、ＬＡＮ、インターネットおよび電話回線からなる群から選択された少なくとも一つを経由したデータ通信が可能である。
【００１４】
前記通信モジュールは、例えば、ＳＩＭ、ＷｉＦｉ（登録商標）があげられる。本発明の照明装置がＳＩＭを有する場合、例えば、無線で外部とデータ通信可能であり、本発明の照明装置がＷｉＦｉを有する場合、例えば、最寄のＷｉＦｉルータ等を介して、無線で外部とデータ通信可能である。このように、外部と無線でデータ通信可能な状況下であれば、本発明の照明装置は、前記外部装置との接続により、前記外部装置に対しても、外部と無線でデータ通信可能とすることができる。
【００１５】
本発明の照明装置は、例えば、天井設置用または壁設置用である。
【００１６】
本発明の照明装置は、さらに、前記照明部による照明の制御部を有し、前記制御部は、照明用の制御信号により、前記照明部による照明を制御する。前記照明の制御部は、以下、照明制御部ともいう。
【００１７】
本発明において、接続対象である前記外部機器は、例えば、さらに、前記外部機器の機能を制御する制御部を有する。前記外部機器の制御部は、以下、外部制御部ともいう。
【００１８】
つぎに、本発明の実施形態について、ＬＥＤ照明装置を例にあげて、図を用いて説明する。本発明は、下記の実施形態によって何ら限定および制限されない。各実施形態における説明は、それぞれ、互いを援用できる。
【００１９】
（実施形態１）
本発明のＬＥＤ照明装置の一例について、図を用いて説明する。本実施形態のＬＥＤ照明装置の概略を、図１のブロック図に示す。ＬＥＤ照明装置１０は、商用電源から電力が供給されるＬＥＤ電源ユニット１０１、ＬＥＤ照明部１０２、照明制御部１０３、ポート１０４および通信モジュール１０５を有する。
【００２０】
ポート１０４は、前記接続部であり、外部機器２０と接続可能なポートである。ＬＥＤ照明装置１０は、ポート１０４を介した外部機器２０との接続により、ＬＥＤ電源ユニット１０１から外部機器２０に、電力供給が可能であり、また、外部機器２０との間におけるＬＥＤ照明用の制御信号の入出力が可能である。ＬＥＤ照明装置１０は、例えば通信モジュール１０５を有することにより、通信回線網３０を介して、外部（例えば、端末４０）とデータ通信が可能である。ＬＥＤ照明装置１０と外部機器２０とは、前述のように、ポート１０４を介して接続するため、外部機器２０も、ＬＥＤ照明装置１０と同様に、通信回線網３０を介して、外部とデータ通信が可能である。
【００２１】
本発明の照明装置は、例えば、天井設置用または壁設置用が好ましい。この形態によれば、例えば、前記外部機器を後付で設置する際、電源、インターネット接続、その他信号線の引込み等、インフラ整備の整っていない天井、壁という空間に対し、本発明の照明装置が、それらを前記外部機器に提供できる。居住空間等において、床面等と比較して、天井および壁は、フリーなスペースが多く存在するため、新たに外部機器を設置する際、邪魔にならないという有利な点もある。
【００２２】
（実施形態２）
実施形態２は、本発明のＬＥＤ照明装置を、子供やペット等の見守りに利用する形態について例示する。特に示さない限り、本実施形態は、前記実施形態１の記載を援用できる。
【００２３】
（２−１）
本実施形態のＬＥＤ照明装置は、例えば、カメラおよびマイクスピーカを有する外部機器２０と接続する場合、以下のように使用できる。
【００２４】
保護者が不在の家に、子供が帰宅すると、リビングルームに設置されたＬＥＤ照明装置１０の電源をＯＮにする。それに伴い、ＬＥＤ照明装置１０に接続された外部機器２０（カメラおよびマイクスピーカ）に電力が供給され、外部機器２０の電源もＯＮになる。そして、ＬＥＤ照明装置に接続されたカメラ（外部機器２０）が、その外部制御部２０１により制御されることによって、リビングルームの状態を撮影し、撮影データは、インターネット回線（通信回線網３０）を介して、保護者が、スマートフォン等の端末４０により確認できる。他方、保護者は、例えば、端末４０を用いて「宿題は？もうすぐ帰るね。」等と話しかける。この音声のデータが、インターネット回線３０を介して、ＬＥＤ照明装置１０に送信されると、ＬＥＤ照明装置１０が、前記音声のデータを受信し、それがマイクスピーカ（外部機器２０）に入力され、マイクスピーカから、その音声を流す。また、子供は、例えば、前記マイクスピーカに向かって、「宿題は終わったよ」等と話しかける。この音声のデータが、ＬＥＤ照明装置１０からインターネット回線３０を介して、保護者の端末４０に送信されると、端末４０が前記音声のデータを受信し、その音声を流す。
【００２５】
（２−２）
本実施形態のＬＥＤ照明装置は、例えば、カメラを有する外部機器２０と接続する場合、以下のように使用できる。
【００２６】
飼い主が不在な状況において、リビングルームで犬を放し飼いにする場合、リビングルームに設置されたＬＥＤ照明装置１０の電源をＯＮにすることで、ＬＥＤ照明装置１０に接続されたカメラの電源もＯＮにしておく。そして、飼い主の不在の間、ＬＥＤ照明装置１０に接続されたカメラにより、リビングルームにおける犬の状態が撮影され、撮影データは、インターネット回線を介して、飼い主がライブで確認できる。
【００２７】
（２−３）
本実施形態のＬＥＤ照明装置は、例えば、接続対象の外部機器２０が、メッセージ自動送信機である。この場合、例えば、ＬＥＤ照明装置１０の照明制御部１０３（例えば、点灯回路）に、外部機器２０の外部制御部２０１が接続可能である。本実施形態のＬＥＤ照明装置は、例えば、以下のように使用できる。
【００２８】
高齢者が一人暮らしの場合に、寝室で、ＬＥＤ照明装置１０の点灯をＯＦＦにする。すると、ＬＥＤ照明装置１０のＬＥＤ電源ユニット１０１を介して、ＬＥＤ照明用の制御信号が、接続されている外部機器２０の外部制御部２０１に入力される。そして、前記制御信号を外部制御部２０１が受信すると、外部機器２０に、「おやすみなさい」というメッセージを、離れて暮らす子供の所定アドレスに発信する制御を実行し、外部機器２０から、インターネット回線を介して、「おやすみなさい」のメッセージが送信される。
【００２９】
（２−４）
本実施形態のＬＥＤ照明装置は、例えば、人感センサである外部機器２０と接続する場合、以下のように使用できる。
【００３０】
介護が必要な老人の自宅の各部屋および廊下等のＬＥＤ照明機器１０に、外部機器２０として人感センサを接続する。接続された人感センサには、ＬＥＤ照明装置１０から電力が供給される。そして、ＬＥＤ照明機器１０に接続された人感センサ２０が、感知した人をカウントすると、そのカウントデータは、定期的に、インターネット回線を介して、必要な相手に送信される。必要な相手とは、例えば、見守る側であり、家族、介護者、看護婦等があげられる。
【００３１】
（実施形態３）
本実施形態は、本発明のＬＥＤ照明装置を、案内に利用する形態について例示する。特に示さない限り、本実施形態は、前記実施形態１の記載を援用できる。
【００３２】
（３−１）
本実施形態のＬＥＤ照明装置は、接続対象の外部機器２０が、ビーコン端末である。本実施形態のＬＥＤ照明装置は、例えば、以下のように使用できる。
【００３３】
スーパーマーケットの入り口のＬＥＤ照明機器１０に、外部機器２０としてビーコン端末を接続する。そして、スマートフォン等の端末４０を携帯する買い物客が入口に近づくと、ＬＥＤ照明装置１０と接続したビーコン端末２０が、買い物客の端末４０を検知し、外部制御部２０１から、端末４０に対して、インターネット回線３０を介して、プッシュ通知する。プッシュ通知を端末４０で受けた買い物客は、スーパーマーケットのクラウドから、お買い得商品、クーポン等の情報を得ることができる。
【００３４】
（３−２）
本実施形態のＬＥＤ照明装置は、接続対象の外部機器２０が、ビーコン端末である。本実施形態のＬＥＤ照明装置は、例えば、以下のように使用できる。
【００３５】
空港の天井のＬＥＤ照明機器１０に、外部機器２０としてビーコン端を接続する。そして、スマートフォン等の端末４０を携帯する旅行客が入口に近づくと、ＬＥＤ照明装置１０と接続したビーコン端末２０が、旅行客の端末４０を検知し、外部制御部２０１から、端末４０に対して、インターネット回線３０を介して、プッシュ通知する。プッシュ通知を端末４０で受けた旅行客は、空港のクラウドから、フロアガイド、現在地等の情報を得ることができる。
【００３６】
（実施形態４）
本実施形態は、本発明のＬＥＤ照明装置を、エンターテイメントに利用する形態について例示する。特に示さない限り、本実施形態は、前記実施形態１の記載を援用できる。
【００３７】
（４−１）
本実施形態のＬＥＤ照明装置は、例えば、プロジェクターおよびスピーカを有する外部機器２０と接続する場合、以下のように使用できる。
【００３８】
ＬＥＤ照明装置１０は、通信モジュール１０５により、インターネット回線３０を介して、映画等のデータをダウンロードし、外部機器２０（プロジェクターおよびスピーカ）により視聴可能とする（ビデオオンデマンド）。このようにＬＥＤ照明装置１０を利用することで、プロジェクターおよびスピーカの配置ならびに配線を固定し常設できる。
【００３９】
これらの実施形態は、例示であり、本発明の照明装置が接続可能な外部機器は、この他にも、例えば、カメラ、レーダー、ＢＬＥタグ、ルーター、ディスプレイ、各種センサ、ＰＣ、タブレット、火災報知機、他の照明器具等があげられる。
【００４０】
以上、実施形態を参照して本発明を説明したが、本発明は、上記実施形態に限定されるものではない。本発明の構成や詳細には、本発明のスコープ内で当業者が理解しうる様々な変更をできる。
【００４１】
この出願は、２０１７年３月３日に出願された日本出願特願２０１７−４００６８を基礎とする優先権を主張し、その開示の全てをここに取り込む。
【産業上の利用可能性】
【００４２】
本発明によれば、照明装置を、明るさを提供する機器としてだけではなく、全く異なる機能の機器としても使用できる。具体的には、例えば、照明装置に供給された電力を、外部機器に出力することで、前記照明装置を他の外部機器に対する電流供給装置としても使用できる。また、外部機器との接続により、照明用の制御信号を前記外部機器に入出力することで、照明装置の制御と外部機器の制御とを連動させることもできる。前述のように、照明装置は、どのような場所にでも設置される必須の機器であることから、このように外部機器との接続を可能とすることによって、外部機器をより簡便に使用することが可能となる。
【符号の説明】
【００４３】
１０    ＬＥＤ照明装置
１０１  ＬＥＤ電源ユニット
１０２  ＬＥＤ照明部
１０３  照明制御部
１０４  ポート
１０５  通信モジュール
２０    外部装置
２０１  外部制御部
３０    通信回線網（インターネット回線）
４０    端末  
【図１】
2018147881.tif 000003